(57)【特許請求の範囲】
【請求項１】
球状真空デシケータであって、
相互に係合するようになっている半球状の同一の第一及び第二のシェルを有し、
第一及び第二のシェルそれぞれが胴部を有し、胴部は半球状の内向面及び外向面とその間にある係合領域とを有し、第一及び第二のシェルのそれぞれの係合領域内には受容部及び連結部が離間して配置されており、
真空デシケータが組み上がった状態においては、第一のシェルが第二のシェルに対して受容部と連結部との関係において反転した位置に配置されており、第一及び第二のシェルの内向面が、完全な球状のデシケータ内に中空の作業チャンバを形成し、
第一及び第二のシェルのそれぞれが互いに離間した第一及び第二の把持部位を更に有し、それぞれの把持部位が第一及び第二の支持壁から成っており、支持壁は係合フランジから外向きに延びると共に連結壁によって連結されており、支持壁及び連結壁によって囲まれた各把持部位内にキャビティが形成され、
第一のシェルに対する第二のシェルの旋回動作の間に、第一のシェルの連結部の少なくとも一部が第二のシェルのキャビティに収容され、
第一のシェルがその前部中央部に設けられた少なくとも一つのポートサブアッセンブリを有するように形成され、中空の作業チャンバへのアクセスを可能にしており、また、連結ユニットが第一のシェルの半球状の外向面から外向きに延び、ポートサブアッセンブリを取り囲んでいる球状真空デシケータ。
【請求項２】
少なくとも一つのポートサブアッセンブリが二つのポートサブアッセンブリから成り、連結ユニットが連結スリーブを有し、連結スリーブはシェルと係合可能な接合フランジから延びている請求項１に記載の球状真空デシケータ。
【請求項３】
接合フランジが、凸状外向面及び凹状内向面を有するように形成され、凸状外向面が第一のシェルの半球状の内向面に係合するようになっている請求項２に記載の球状真空デシケータ。
【請求項４】
接合フランジが、凸状外向面及び凹状内向面を有するように形成され、凹状内向面が第一のシェルの半球状の外向面に係合するようになっている請求項２に記載の球状真空デシケータ。
【請求項５】
一対のグローブと拘束手段とを更に有し、
一対のグローブは弾性素材から形成されると共に各連結スリーブと係合するようになっており、拘束装置は、使用者の手がグローブ内へ入れられる時又はグローブから抜かれる時に、各グローブがそれぞれの連結スリーブから外れることを抑止する請求項２に記載の球状真空デシケータ。
【請求項６】
受容部が係合領域内に各外向面から内側に延びる受容溝を有し、
連結部が突出部の形態を有するとともに連結部材をさらに有し、連結部材が突出部の面に対して横方向に延びており、
各受容部は、係合フランジから外向きに延びると共に連結壁によって連結される第一及び第二の支持壁によって形成されており、その結果、前記受容溝は支持壁及び連結壁によって囲まれて形成されるようになっており、
真空デシケータが組み立てられた状態において、第一のシェルが第二のシェルに対して受容部と連結部との関係において反転した位置に配置されており、第一のシェルの連結部材が第二のシェルの受容溝と係合してヒンジ結合を形成し、第一及び第二のシェルの間の旋回動作を円滑にするようになっており、第一及び第二のシェルのお互いに対する旋回動作の間に、一方のシェルの連結部の少なくとも一部が他方のシェルの受容溝内に受容される請求項１に記載の球状真空デシケータ。
【請求項７】
組立てられた状態において、第一及び第二のシェルの内向面が、完全な球状のデシケータ内に中空の作業チャンバを形成する請求項６に記載の球状真空デシケータ。
【請求項８】
第一及び第二のシェルの外向面が、完全な球形の胴部を形成し、係合領域が真空デシケータを支持する面と平行に位置する平面内に配置されている請求項６に記載の球状真空デシケータ。
【請求項９】
支持構造が第一及び第二のシェルのそれぞれの外向面から外向きに延びており、支持構造が支持面と係合するようになっている請求項６に記載の球状真空デシケータ。
【請求項１０】
第一及び第二のシェルのそれぞれにおいて、係合領域が係合フランジをさらに有し、係合フランジが外向面から外向きに環状に広がっており、各シェルの外縁を取り囲んでいる請求項９に記載の球状真空デシケータ。
【請求項１１】
支持装置をさらに有し、支持装置は複数の支持サブアッセンブリからなり、それぞれの支持サブアッセンブリが互いに離間された多数の突起によって形成されており、多数の突起は少なくとも一つのシェルの内向面から延びると共に円状に配置されている請求項８に記載の球状真空デシケータ。
【請求項１２】
支持装置において、円状の配置は様々な直径を有し、互いに離間して位置するように形成されており、相互に平行であるとともに各シェルの係合フランジの面に対して平行な平面内に配置されるようになっている請求項１１に記載の球状の真空デシケータ。
【請求項１３】
デシケータが組立てられた状態において、第一のシェルはその内向面と受容溝とが上向きになった状態で配置され、第二のシェルの連結部材を受容して、第一のシェルに対する第二のシェルの旋回動作を円滑にするようになっている請求項６に記載の球状真空デシケータ。
【発明の詳細な説明】
【技術分野】
【０００１】
本発明は、一般に除湿用装置に関する。特に、かなりの内圧に耐えることのできる除湿用装置に関する。
【背景技術】
【０００２】
密封容器から除湿するための装置は産業界において広く用いられている。密封容器内に収容されている物品は、十分に低い湿度に保たれるか、満足される程度に物品の機能の完全性が保全されるべきである。湿度を低く保つ性能は、特に実験環境において重要である。その理由は、一般に湿度による変性を特に受け易い薬品、材料及び生成物の保管を要するからである。それ故、各作業チャンバ内に真空状態を作り出し、そのまま保つことができる真空乾燥装置が周知となっている。
【０００３】
乾燥は、安全に作動できる最大圧力によって制限されることが良く知られており、最大圧力は装置が耐えられるか否かで決まる。様々なデザイン及び形状をした多数のそのような装置が知られているものの、それらの多くは理想的な構造ではない。構造の完全性を保つことのできる容器の性能は、バルブ及びパイプの破断強度、並びに壁部の抗張力に依存する。この限界となる点は、通常抗張力が最小である部位であり、この部位が構造全体の実用性を制限する。デシケータ内部の圧力が減少する時、破断の可能性は増加する。
【０００４】
従来式の容器は、そのサイズが大きくなると強度に厳しい制限を受け、スケールアップには問題を伴う。他の全ての形状に対して、球は完璧な対称性を有し、表面の全ての部分が中心点から等距離にある。完全な球は、一定の体積を有する全ての形状の中で最小の表面積を有し、一定の表面積によって形成される全ての形状の中で最大の体積を含有する。
【特許文献１】米国特許第5,8007,422号明細書
【発明の開示】
【発明が解決しようとする課題】
【０００５】
中空の半球状デシケータが存在するものの、発明者が知る限りにおいては、完全な中空の球状デシケータは知られていない。この点において、本発明の球状真空デシケータ装置は、従来の概念及び従来技術のデザインから大きく逸脱している。デシケータに完全な球状の作業又は乾燥チャンバを付与することによって、装置の十分な安全性が確保できる。他の形状は連結部及び角に弱い部位を有し、それ故に使用者は過剰な圧力を加えたり、破壊又は損傷の危険を冒すことはできない。
【課題を解決するための手段】
【０００６】
ガーギッチ（Grgich）らの米国特許第5,8007,422号で開示されているように、気体の速度が低下するにつれて、動的容量はデシケータの定常容量へと近づくことが知られている。速度が低下することによって、デシケータの性能、すなわち気体から液体を吸収する能力は向上する。なぜならば、気体が吸収剤と接触している時間が長くなるからである。乾燥床を通る気体の線速度が小さいと、乾燥の動的性能は向上する。それは、気体分子が吸収材とより長い時間接触しているからである。気体の速さを遅くすることは、容器のサイズを大きくすること、又は容器の内圧を低下させることによって実現できるだろう。この事は、温度を低下させることによって実現できるであろう。しかしながらガーギッチの装置は、完全な球形が開示されていないために、構造的に制限を受ける。さらに、等しい気流用の中空の領域が開示されていないが、領域などからなる球状の乾燥吸収ユニットが構造の完全性を維持するものの、等しい気流の問題及び、無限の拡張性の問題を解決していない。吸収床の容積が制限されるために、ガーギッチの特許には温度調節の問題もあるものの、この問題は、等しい気流用に設計された単一の空気用穴を付与することにより、本発明によって解決される。
【発明を実施するための最良の形態】
【０００７】
図面全体及び、特に本発明の真空デシケータ１０を示す図１から７を参照すると、デシケータは、実質的に同一である第一のシェル１２と第二のシェル１４の組合せによって形成されており、シェルは相互に係合するようになっている。図４及び５に最も分かりやすく図示されているように、好適な実施形態においては、各半球は胴部１６から成っている。胴部１６は半球状の内向面１８と、外向面又は外側部２０とを有する。内向面１８及び外向面２０は一端すなわち各頂部２２、２４において頂点となっており、他端において係合接触面２６すなわち係合領域を有している。組立てられた状態において、デシケータ１０は第一の半球状内腔部２８及び第二の半球状内腔部３０を有し、それらは、各シェルのほぼ半球状の内向面が接合することによって形成される。第一と第二の内腔部２８及び３０の内向面は、相互にほぼ対称であり、連結部位３２において気密的に連結する。連結部位３２は各半球状内腔部の頂点から等距離に位置している。このようにして、過度の加減圧に耐えられる中空の球状作業チャンバ３４が形成される。
【０００８】
図面には、外側部又は外向面２０が実際に半球形として描かれているが、これは例にすぎない。本発明のデシケータの外側部は、立方体、四面体又は他の多面体のような従来的な形状のいずれであることもできる。外側部は内向面１８と一体的な構造をしていてもよいし、装置を部分的又は完全に取り囲む分離独立した構造をしていてもよい。
【０００９】
添付の図面中の図から容易に明らかになるように、第一の半球状内腔部２８及び第二の半球状内腔部３０は、構造的にはほぼ同一である。また、組立てられた状態においては、第一のシェル１２は第二のシェル１４に対して反転した位置になっており、逆も同様である。従って図面中においては、デシケータアッセンブリは垂直向きに描かれている。
【００１０】
第一及び第二のシェル１２、１４において、係合接触面２６は係合フランジ３８を有しており、係合フランジ３８は内向面１８と外向面２０とを区分する平面に広がっている。好適な実施形態においては、係合フランジ３８は半球状の内向面１８から形成されており、胴部１６を通って、周囲の外側部又は外向面２０から外向きに延びている。それによって、係合フランジ３８は各シェルの外縁をほぼ取り囲んでいる。各シェルの係合接触面２６は、それぞれ突出部の形態の連結部４０及び受容部４２も有しており、それらは互いに離間して位置すると共に、係合フランジ３８の外縁から外向きに延びている。受容溝４６が受容部４２に形成されており、各突出部の外縁から内側へ延びている。一方で各シェルにおいては、連結部４０が連結部材４４を有し、連結部材４４は突出部の面に対して横方向に延びる。半球状の第一のシェル１２の連結部材４４は、半球状の第二のシェル１４の受容溝４６と係合するように形成されている。
【００１１】
第一及び第二のシェル１２、１４の係合接触面２６は、更に第一の把持部位４８及び第二の把持部位５０を有しており、第一及び第二の把持部位４８、５０は相互に離間し、係合フランジ３８の後面から外向きに延びている。図１及び図８を参照すると、第一の把持部位４８はその前端５２及び後端５４の間に広がっている。後端５４はシェルの外側部２０に連結している。それに対して、前端５２を覆うものは何も無い。構造的に、第一の把持部位４８は、相互に離間した第一の支持壁５６及び第二の支持壁５８によって形成されており、支持壁は連結壁６０によって相互に連結されている。各支持壁は係合フランジ３８の後面から外向きに延びており、ほぼ中空の把持キャビティ６２を形成している。上述の各突出部の受容部４２は、第一の把持部位４８の一部を形成しており、第一の把持部位４８は第一の支持壁５６及び第二の支持壁５８の間に位置する。より具体的には、本発明のある実施形態において受容溝４６は、第一の支持壁５６と第二の支持壁５８との間に位置する突出部の外縁から内側に陥入している。結束穴６４は、係合フランジ３８の突出部内であり、支持壁それぞれの直近の位置に形成されている。
【００１２】
第二の把持部位５０は、前述した第一の把持部位４８と同様の構造をしている。しかしながら受容溝４６の代わりに連結部材４４が、第一の支持壁５６と第二の支持壁５８との間に位置する係合フランジ３８の前部から横方向に延びている。
【００１３】
球状真空デシケータが組立てられた状態においては、第一のシェル１２が第二のシェル１４に対して反転した位置に配置され、第一のシェル１２と第二のシェル１４の内向面１８が、完全な球状のデシケータ内にほぼ中空の作業チャンバ３４を形成する。更に、一方のシェルの連結部材４４が他方のシェルの受容溝４６に係合し、ヒンジ結合６６を形成する。このヒンジ結合６６は、第一のシェル１２と第二のシェル１４との間の旋回動作を円滑にする。デシケータの好適な実施形態において第二のシェル１４は、半球状の内向面１８と上向きの連結部材４４とを有することで、第一のシェル１２の受容溝４６に係合し、連結部を中心とした第二のシェル１４に対する第一のシェル１２の旋回動作を可能にする。前記係合を容易にするために、連結部材４４の縦方向の長さが、受容部にある受容溝４６の深さとほぼ同じになっている。
【００１４】
発明に係るデシケータの操作中において、デシケータが開閉する時には、第一のシェル１２が第二のシェル１４に対して旋回するよう動く。この動作中に適切な係合を確保するために、連結部材４４を有する第二の把持部位５０の少なくとも一部が、把持部位にある第一の支持壁５６と第二の支持壁５８との間に形成される把持キャビティ６２に収容される。
【００１５】
図６及び図７に最も良く表されるように、各シェルの係合フランジ３８は、溝すなわち凹部７０を有するほぼ平らな底面６８を有する。凹部７０は底面６８のほぼ中心に位置し、底面６８からシェルの胴部１６内へと延びる。上述した本発明の好適な実施形態は、係合領域に一つの溝を有する半球状のシェルを開示しているが、この教示は単なる例にすぎない。シェルの係合領域が、複数の密封用ガスケットを取り付けられる複数の溝を有することは、本発明の想定内である。複数の溝を有することの目的は、デシケータの半球状シェルの接合部により強固なシールを形成するためである。
【００１６】
第一及び第二のシェル１２、１４はその胴部１６を通るポート７２を備えるよう形成されているため、作業チャンバ３４と外部の加圧源又は減圧源との間に流路を提供できる。
【００１７】
図４から図９を参照すると、支持装置７４が複数の突起７５の形態で作業チャンバ３４内に形成されている。突起７５は相互に離間しており、詳述すれば少なくとも一方のシェルの内向面１８からチャンバ内部に向かって延びている。装置７４の主目的は、（点線で表されている）棚７７を支持することであり、棚７７は、乾燥処理に供する対象物に適合するようになっている。例えばシリカゲルような乾燥剤は、棚７７の下にあたる作業チャンバの底に配置される。このようにして、気流は乾燥チャンバ内において棚７７に形成された穴を通って対称物と乾燥剤との間に確立される。乾燥処理に供される様々な物品に適合させるために、作業チャンバ３４内の棚７７の位置は調整可能である。本発明においてこの事は、突起７５を備える支持装置７４を提供し、突起７５がチャンバ３４内の異なる高さに設置されることによって実現される。
【００１８】
このように、支持装置７４が複数の支持サブアッセンブリから成ることは、少なくとも図４、５、８及び９に最も良く表されている。各サブアッセンブリは互いに離間した複数の突起７５によって構成されており、突起７５が半球状シェルの内向面１８から延びているために、ほぼ円状の配置になっている。円の直径は、半球状シェル内部の突起７５の位置によって変わる。支持装置において、円は互いにほぼ平行な平面となる。好適な実施形態においては、支持サブアッセンブリの平面は、各シェルの係合フランジ３８の平面と平行である。
【００１９】
同じように作られた球状デシケータ、すなわち、完全な球状の作業チャンバを有し、同じ材料から、同じ容積及び壁厚で作られたデシケータは、装置内の全ての場所において上述した最も小さい圧力を受ける。さらに、完全な球状の作業チャンバを有するデシケータは、余分な費用のかかる補強の必要なく薄壁の構造から作ることができる。その上デシケータは、その効果的なデザインのおかげでより大きなサイズにスケールアップすることができる。
【００２０】
各把持部位４８、５０は、突起部４０、４２それぞれを通る結束穴６４を少なくとも一つ備えるように形成されるために、ひも、ロープ、金属の取り付け装置又は他の装置を用いてシェル同士を結束するのに十分な大きさの穴を備えることができる。結束穴６４は、通常突起部４０、４２上であり、把持部位の各支持壁５４、５６に対して外側の場所に配置される。しかしながら、結束穴６４は突起部４０、４２又は係合フランジ３８のいかなる場所にも配置できるであろう。
【００２１】
支持材８０すなわち支持構造は、各シェル１２、１４の半球の頂点となる極部に取り付けられる。支持材８０は、ほぼ円筒状に形成され、円筒は十分な大きさの直径を有するために、実験台のようなほぼ平らな場所に組立てた装置１０を安定に支持することができる。円筒状の支持材８０の直径は、通常デシケータ外部の適当な範囲を囲むことができる程度に大きい。好適な実施形態においては、支持材８０が半球状シェルそれぞれと一体化したアッセンブリを形成する。しかしながら、支持材８０がシェルから分離しているデシケータも想定されている。
【００２２】
図１０に図示されている本発明の実施形態においては、支持材８２すなわち支持構造はシェルから分離した形状であり、取外し可能な部材である。そのような部材は円筒状支持材８０の性質を少なくとも保持すべきであり、すなわち、適度な高さ、幅、外面を有するために、ほぼ平らな場所において装置１０を支持することができる。ほぼ円筒状の支持材８０がここまでにおいて考証されてきたものの、これは例としての教示にすぎない。あらゆる従来式の形状の支持材は、本発明の視野に含まれることが認識されるべきである。シェルの胴部１６は、通常中実のプラスチック又は他の可塑性の素材から作られている。それとは別に、観察者が作業チャンバ３４内で起きている工程を見ることができるようにするため、シェル１２、１４の胴部１６を透明な素材から作ることもできる。
【００２３】
図１１から図１８を参照すると、本発明の半球状のシェルの更なる実施形態を図示している。これらの図に最も良く図示されているように、上側のシェルは半球状の内向面１１８と外向面又は外側部１２０とを有し、更にそれらの下端に位置する係合面を有する。組立てられた状態においては上述の実施形態と同様に、デシケータ１１０は半球状の第一の内腔部１２８及び半球状の第二の内腔部１３０を含有する。第一の内腔部１２８及び第二の内腔部１３０の内向面は、互いにほぼ対称であり、連結部位１３２において気密的に連結される。連結部位１３２は各半球状の内腔部の頂点から等距離に位置する。このように、中空で球状の作業チャンバ１３４が形成される。
【００２４】
上側の半球状シェルは、少なくとも二つのポートサブアッセンブリ１４０及び１４２を備えるよう形成される。ポートサブアッセンブリ１４０、１４２は一方の半球の前部中央部に設置される。好適な実施形態において各ポートアッセンブリ１４０、１４２は、連結ユニット１４１を有するように形成される。図１７及び図１８に最も良く表されるように、各連結ユニット１４１は接合フランジ１４６から外向きに延びる連結スリーブ１４４からなっており、接合フランジ１４６は凸状外向面１４８と凹状内向面１５０とによって形成されている。スリーブ１４４は、通常ほぼ円筒の形状に形成されており、凸状外向面１４８及び凹状内向面１５０は、各半球状シェルの壁部に係合するようになっている。この点に関して、本発明のある実施形態が描かれている図１７において、凸状外向面１４８が半球状の内向面１１８と係合するようになっていることが図示されている。この実施形態においては、スリーブ１４４がデシケータの内部から外向きに延びているため、球体の各部位を支えるのに十分な面積を有する。図１８の実施形態においては、連結スリーブ１４４の凹状内向面１５０が、各シェルの半球状の外向面１２０に係合している。
【００２５】
連結ユニット１４１はデシケータ１１０と分離して製造されることが可能であり、いずれかの従来の手段によってシェルに取り付けられる。その一方で、連結ユニット１４１はシェルの一部として形成されることもできる。
【００２６】
連結ユニット１４１はグローブボックスの付属物の一部を形成しており、グローブボックスは、試験及び材料を扱う操作のために制御された環境を提供するようになっている。デシケータの内向面はエンクロージャを形成しており、物質がエンクロージャへ導入されたりエンクロージャから取り出されたりするのを許容する。デシケータの球状の壁部は、例えばポリ塩化ビニル（ＰＶＣ）又はレキサン（LEXAN、登録商標）のような透明で可塑性の材料から形成されるであろう。この装置は、使用者がデシケータ内の作業チャンバ１３４内の制御又は包含された環境に置かれた物質を見ること及び操作することを可能にする。作業チャンバ１３４内への手の挿入口は、ベローズ型グローブや廉価なスリーブグローブなどのようないずれの種類のグローブを選ぶかによって、エンドユーザの要望に応じてカスタマイズされる。連結スリーブ１４４は、各グローブとの確実な連結をするために利用される。
【００２７】
手を保護するためのグローブ１５６は、スリーブ１４４それぞれに対して取り外すことができるように固定される。通常は、グローブ１５６はゴムのような可塑性の素材から作られている。スリーブとグローブの上部とが、各連結スリーブ１４４に対して気密的に連結される。
【００２８】
保持部材１５２すなわち拘束手段は、手がグローブから抜かれる時に、グローブ１５６をデシケータの壁部に保持するために用いられる。このため、各グローブから手を抜くことによって、グローブが裏表反転することはなく、従って、グローブを次に使用する時、グローブは手を入れるのに適切な位置に維持される。
【００２９】
製造の単純化及び生産コストの削減は、デシケータの産業分野にとって重要な目的である。多数のデシケータが周知であるものの、廉価であり、製造及び組立てが単純なデシケータは非常に少数である。本発明においては、この重要な目的が、第一のシェル１２及び第二のシェル１４を組み合わせて利用することによって達成できる。第一と第二のシェルは１２、１４ほぼ同一であり、それぞれ半球状の内腔部２８及び３０を有するために、完全な球状である内部作業チャンバ３４を有する単一の構造を形成することができる。
【００３０】
完全な球状であり、ほぼ中空の内部作業チャンバ３４は、他の全ての形状とは違って、完璧な対称性を有し、且つ中心点から表面のすべての場所までが等距離である。完全な球は、一定の体積を有する全ての形状の中で最小の表面積を有し、一定の表面積によって形成される全ての形状の中で最大の体積を有する。
【００３１】
完全な球状の内部作業チャンバ３４は、気体の均一的な乾燥という長らく認められてきた問題を解決する。球上を移動する点の位置及び速度のベクトルは常に互いに直交する。それ故に、完全な球状の作業チャンバ３４内を移動するいかなる分子も、他の全ての分子と同様に動くであろう。その結果、非効率な乾燥の原因となるよどみ又はエアーポケットが生じることなく均等に乾燥する。乾燥の効率が、デシケータ装置内の空気圧を下げることができる量によって制限されることも周知である。乾燥処理に供される空気の量が少ないほど、乾燥剤によって吸収される湿気は少なくなる。これに関して、作業チャンバ３４の完全な球状の形態が最小の体積を有するために、作業チャンバ３４は、異なる形状を有する従来式のチャンバより少ない空気を含有する。このように、本発明によってより大きな効果が実現され、それは、乾燥処理中に吸収されるべき湿気がより少ないからである。
【００３２】
完全な球状の作業チャンバ３４は、デシケータ１０内の全ての場所において等しい圧力をもたらす。それ故に、同様の壁厚を有し、同じように作られた構造部材から構築された各種形状のデシケータの中で最大の加圧又は減圧をすることができる。更に、完全な球状の作業チャンバ３４の構造の完全性は、球のサイズを拡大又は縮小した時にも損なわれずに維持される。こうして、本発明の完全な球状の作業チャンバ３４を有するデシケータは、その大きさが変化することで、従来式のデシケータより広い範囲に適合するであろう。それ故に本発明は、単純であり、廉価であり、本当に効果的であり、強度が高く、安全であるという、デシケータに対して長らく求められている研究所の要望を満たすことができるはずである。
【００３３】
本発明は、同一かつ構造的に単一の二つの部品を有する。それによって、本発明は様々な種類の研究所の様々な要望に適応する。そのような適応は第一に実現される。なぜならば、様々な研究所の要望に応じてデシケータは比較的単純、迅速及び効率的に構成されることが慣例だからである。単に必要とされる乾燥を選ぶことによって、デシケータのサイズ及び耐えなければ成らない強度を決定するための計算が行われる。それによって、装置を構成するための材料が選定され、把持部位が縮小又は拡大され、必要な数の溝が加えられることによって、様々な研究所の要望を満たす構造を構築することができる。こうして、デシケータは様々な収容量を有して構成されるために、その中に配置される様々な装置及び物品に適応することができる。更に、同一で分離可能な構造が、デシケータの輸送、保管及び組立てを実質的に簡略化する。
【図面の簡単な説明】
【００３４】
【図１】本発明のデシケータの斜視図である。
【図２】図１のデシケータの前面図である。
【図３】図１のデシケータの側面図である。
【図４】図２の４−４線断面図である。
【図５】図３の５−５線断面図である。
【図６】図２の６−６線断面図である。
【図７】図２の７−７線断面図である。
【図８】本発明のデシケータの半分開いた状態における断面図である。
【図９】図８の旋回機構を示す拡大図である。
【図１０】本発明の別の実施形態の斜視図である。
【図１１】ポートサブアッセンブリを備えた半球状シェルを有する本発明のデシケータの他の実施形態の斜視図である。
【図１２】図１１のデシケータの前面図である。
【図１３】図１１のデシケータの側面図である。
【図１４】図１１のデシケータの上面図である。
【図１５】図１４の１５−１５線断面図である。
【図１６】図１５の点線で示される細部を表す拡大図である。
【図１７】ある実施形態における組立てられた状態のグローブの部分的な断面図である。
【図１８】他の実施形態における組立てられた状態のグローブの部分的な断面図である。
【符号の説明】
【００３５】
１０  真空デシケータ
１２  第一のシェル
１４  第二のシェル
１６  胴部
１８、１１８  内向面
２０、１２０  外向面
２６  係合接触面
３４、１３４  作業チャンバ
３８  係合フランジ
４０  連結部
４２  受容部
４４  連結部材
４６  受容溝
４８  第一の把持部位
５０  第二の把持部位
５６  第一の支持壁
５８  第二の支持壁
６０  連結壁
６２  把持キャビティ
７４  支持装置
７５  突起
８０、８２  支持材
１４０、１４２  ポートサブアッセンブリ
１４１  連結ユニット
１４４  連結スリーブ
１４６  接合フランジ
１４８  凸状外向面
１５０  凹状内向面
１５２  保持部材
１５６  グローブ
【図１】
0005134267.tif 000002
【図２】
0005134267.tif 000003
【図３】
0005134267.tif 000004
【図４】
0005134267.tif 000005
【図５】
0005134267.tif 000006
【図６】
0005134267.tif 000007
【図７】
0005134267.tif 000008
【図８】
0005134267.tif 000009
【図９】
0005134267.tif 000010
【図１０】
0005134267.tif 000011
【図１１】
0005134267.tif 000012
【図１２】
0005134267.tif 000013
【図１３】
0005134267.tif 000014
【図１４】
0005134267.tif 000015
【図１５】
0005134267.tif 000016
【図１６】
0005134267.tif 000017
【図１７】
0005134267.tif 000018
【図１８】
0005134267.tif 000019